(57)【要約】【課題】規制部材によって可動部材を所定の待機位置に安定して保持することが可能な構成を提供する。【解決手段】遊技機用可動演出装置１０は、駆動源２０からの駆動力を受けて待機位置と変位位置とで変位可能な可動部材３０と、可動部材３０が待機位置にあるときに当該可動部材３０に係合し、可動部材３０が待機位置から変位位置へ変位することを規制する規制部材４０と、を備えている。そして、付勢手段４２は、作用部４０ｃを係合部３０ｆに係合させる方向に付勢すると共に、作用部４０ｃと係合部３０ｆとの係合時に可動部材３０を変位位置から待機位置に向かう上方向に付勢する付勢力を付与する。【選択図】図９
2015165862.tif 000002
【特許請求の範囲】
【請求項１】
所定の待機位置と所定の変位位置との間で変位可能に構成される可動部材と、
前記可動部材を変位させる駆動力を生じさせる駆動源と、
前記可動部材が前記待機位置にあるときに当該可動部材に係合し、前記可動部材が前記待機位置から前記変位位置へ変位することを規制する規制部材と、
前記規制部材に対して所定の付勢力を付与する付勢手段と、
を備え、
前記可動部材は、前記待機位置に位置するときに前記規制部材が係合する係合部を備え、
前記規制部材は、前記係合部に係合する作用部を備え、
前記付勢手段は、前記作用部を前記係合部に係合させる方向に付勢すると共に、前記作用部と前記係合部との係合時に前記可動部材を前記変位位置から前記待機位置に向かう上方向に付勢する付勢力を付与することを特徴とする遊技機用可動演出装置。
【請求項２】
前記係合部は、前記可動部材が前記待機位置のときの位置よりも、前記変位位置のときの位置の方が下方となる構成であり、
前記作用部は、前記可動部材が前記待機位置にあるときの前記係合部を下方側から支持し、且つ前記規制部材に対して前記付勢手段による付勢力が与えられることで、前記作用部が前記係合部を上方側に押圧し、前記可動部材を前記待機位置に維持する力が付与されることを特徴とする請求項１に記載の遊技機用可動演出装置。
【請求項３】
前記規制部材は、前記可動部材と対向する位置に所定の回動軸を中心に回動可能に構成され、
前記係合部と前記作用部の係合位置と、前記規制部材の回動軸線とは、上下方向において略同一の高さに位置することを特徴とする請求項２に記載の遊技機用可動演出装置。
【請求項４】
前記作用部は、前記可動部材が前記駆動源からの駆動力を受けて前記変位位置から前記待機位置に変位する際に、前記係合部に係合しながら前記可動部材を前記待機位置方向に付勢することを特徴とする請求項１から請求項３のいずれか一項に記載の遊技機用可動演出装置。
【請求項５】
前記可動部材は、前記係合部と連続した外郭線を持つ側面部が形成され、
前記可動部材が前記駆動源からの駆動力を受けて変位する際に、前記作用部が前記側面部を押圧することを特徴とする請求項１から請求項４のいずれか一項に記載の遊技機用可動演出装置。
【請求項６】
前記可動部材の前記側面部は、前記規制部材が所定の接触状態を保持する形状に形成されることを特徴とする請求項５に記載の遊技機用可動演出装置。
【請求項７】
前記可動部材は、所定の回動軸を中心に回動可能に構成されると共に、前記回動軸から径方向に延出するアーム部を備え、
前記係合部は、前記アーム部の基端部分に形成されることを特徴とする請求項１から請求項６のいずれか一項に記載の遊技機用可動演出装置。
【請求項８】
請求項１から請求項７のいずれか一項に記載の遊技機用可動演出装置を備えたことを特
徴とする遊技機。
【発明の詳細な説明】
【技術分野】
【０００１】
本発明は、遊技機用可動演出装置及びそれを備えた遊技機に関するものである。
【背景技術】
【０００２】
近年の遊技機では、遊技者の興趣を高めることを目的として、様々な装飾部品を遊技機内に配置する構成となっている。中でも、駆動源を用いて装飾部材を変位させる可動演出装置を遊技領域内に設けることは、インパクトの強い演出を行う上で有利である。また、このような装飾部材を所定の遊技条件の成立に対応して変位させる構成とすることで、遊技機自体のゲーム性を一層高めることができる。
そして、このような可動演出装置において、装飾部材が所定の待機位置に待機する場合に、回転等による変位を抑制して装飾部材を安定して保持するために、装飾部材の動作をロックするロック部材を設ける構成が開示されている。なお、このような可動演出装置としては、例えば特許文献１のようなものが提供されている。
【先行技術文献】
【特許文献】
【０００３】
【特許文献１】特許第５２９２０７２号公報
【発明の概要】
【発明が解決しようとする課題】
【０００４】
特許文献１で開示される可動演出役物１３０では、演出系２４０に連結する可動部材２１０が、駆動モータ２０１の回転駆動力によって駆動ギア２０３を介して回動するように構成されている。また、ロック円板２０２が、駆動ギア２０３と同軸上に設けられると共に、駆動モータ２０１に接続されて回転可能な構成であり、外周には係止孔３０１が設けられている。そして、回動自在の係止片２２１の係止突起３０２は、可動部材２１０が所定の回動位置に位置する時に、付勢ばね２３０からの付勢を受けてロック円板２０２の係止孔３０１に係止することで可動部材２１０の動作を規制するようになっている。
【０００５】
しかしながら、このような構成では、ロック部材（係止片２２１）をロック円板２０２の係止孔３０１に嵌まり込ませる方向の付勢が付勢ばね２３０から加わるだけである。そのため、可動部材２１０の自重などによって所定の待機位置（回動位置）から変位させようとする強い力が可動部材２１０に働く場合には、係止片２２１が付勢方向とは異なる方向からのこのような力に耐えきれず、可動部材２１０のロック状態を保持し続けることができない虞がある。特に、特許文献１のように可動部材２１０が片持ち状の昇降演出部材であり、可動部材２１０を上方の位置でロックする場合には、可動部材２１０の自重によって下方に変位しようとする大きな負荷がロック部材（係止片２２１）に掛かり、係止孔３０１から係止突起３０２が外れ易くなってしまう。
【０００６】
また、このような問題に対処するために、付勢部材によって可動部材を直接的に付勢して待機位置に保持する構成も考えられるが、可動部材が付勢部材の付勢に抗した動作を行うため、可動部材の動作時に駆動源に負荷を掛けることになってしまい、また付勢部材にも負荷が掛かり続ける構成であるため、これらの部材の耐久性が悪化する虞があり、可動部材の安定した動作を実現できなくなってしまう。
【０００７】
本発明は、上述した課題を解決するためになされたものであり、駆動源からの駆動力を受けて変位可能な可動部材を備えた遊技機用可動演出装置において、規制部材によって可動部材を所定の待機位置に安定して保持することが可能な構成を提供することを目的とする。
【課題を解決するための手段】
【０００８】
本発明の遊技機用可動演出装置は、
所定の待機位置と所定の変位位置との間で変位可能に構成される可動部材と、
前記可動部材を変位させる駆動力を生じさせる駆動源と、
前記可動部材が前記待機位置にあるときに当該可動部材に係合し、前記可動部材が前記待機位置から前記変位位置へ変位することを規制する規制部材と、
前記規制部材に対して所定の付勢力を付与する付勢手段と、
を備え、
前記可動部材は、前記待機位置に位置するときに前記規制部材が係合する係合部を備え、
前記規制部材は、前記係合部に係合する作用部を備え、
前記付勢手段は、前記作用部を前記係合部に係合させる方向に付勢すると共に、前記作用部と前記係合部との係合時に前記可動部材を前記変位位置から前記待機位置に向かう上方向に付勢する付勢力を付与することを特徴とする。
また、可動部材は、それ自身の単体、又は当該可動部材と連動する部材を含む構成である。
【０００９】
本発明の遊技機は、上記遊技機用可動演出装置を備えていることを特徴とする。
【発明の効果】
【００１０】
本発明の遊技機用可動演出装置及び遊技機において、付勢手段は、規制部材の作用部を可動部材の係合部に係合させる方向に付勢するようになっている。そして、作用部と係合部との係合時に、付勢手段は可動部材を変位位置から待機位置に向かう上方向に付勢する付勢力を規制部材に付与する構成であるため、規制部材によって可動部材を待機位置に安定して保持することができる。また、可動部材が自重により変位位置側に移動しようとしても規制部材により可動部材を上方向（待機位置）に戻そうとする力が加わることになり、可動部材の変位位置側への変位を抑制して待機位置に位置させることができる。
【００１１】
また、本発明において、係合部は、可動部材が待機位置のときの位置よりも、変位位置のときの位置の方が下方となる構成であり、作用部は、可動部材が待機位置にあるときの係合部を下方側から支持し、且つ規制部材に対して付勢手段による付勢力が与えられることで、作用部が係合部を上方側に押圧し、可動部材を待機位置に維持する力が付与される構成としてもよい。
この構成では、可動部材が、変位位置のときよりも上方となる待機位置に位置するときに、作用部が係合部に対して上方に押圧力を及ぼすため、可動部材の自重に基づく下方への変位を抑制して、可動部材を規制しつつより安定的に上方の待機位置に保持することができる。
【００１２】
また、本発明において、規制部材は、可動部材と対向する位置に所定の回動軸を中心に回動可能に構成され、係合部と作用部の係合位置と、規制部材の回動軸線とは、上下方向において略同一の高さに位置する構成としてもよい。
この構成では、作用部と係合部が上下方向で当接し易く、作用部から係合部に上方に向かう力を及ぼし易くなる。
【００１３】
また、本発明において、作用部は、可動部材が駆動源からの駆動力を受けて変位位置から待機位置に変位する際に、係合部に係合しながら可動部材を待機位置方向に付勢する構成としてもよい。
この構成では、可動部材が規制部材の押圧力（付勢力）を利用して変位位置から待機位置へと変位することができ、安定した動作で円滑に可動部材を待機位置へと変位させることができる。
【００１４】
また、本発明において、可動部材は、係合部と連続した外郭線を持つ側面部が形成され、可動部材が駆動源からの駆動力を受けて変位する際に、作用部が側面部を押圧する構成としてもよい。
この構成では、可動部材が駆動源からの駆動力を受けて変位位置に変位する際に、作用部が係合部と連続した外郭線を持つ側面部を押圧するため、可動部材は規制部材から変位に抗するような方向に駆動力が加わり難く、駆動源からの駆動力に基づいた可動部材の変位動作を妨げることがない。即ち、可動部材は、係合部と作用部の非係合時に規制部材の押圧作用に抗した動作を行うことなく円滑に変位することができる。
【００１５】
また、本発明において、可動部材の側面部は、規制部材が所定の接触状態を保持する形状に形成される構成としてもよい。
この構成では、可動部材の側面部は、規制部材が所定の接触状態を保持する形状に形成されるため、駆動源からの駆動力に基づく可動部材の変位時に、規制部材の作用部が可動部材に所定の状態で接触し続けることができ、規制部材を付勢する付勢手段に負荷を与えることがない。
【００１６】
また、本発明において、可動部材は、所定の回動軸を中心に回動可能に構成されると共に、回動軸から径方向に延出するアーム部を備え、係合部は、アーム部の基端部分に形成される構成としてもよい。
この構成では、アーム部を設けて可動演出装置の装飾性や遊技性を高めると共に、係合部をアーム部の基端部分に設けることで、当該係合部に作用を及ぼす規制部材を可動部材、特にアーム部と干渉しない位置に配置し易くなり、アーム部の可動範囲を大きく設定することができる。
【図面の簡単な説明】
【００１７】
【図１】図１は、本発明の第１実施形態に係る遊技機用可動演出装置を備えた遊技機を例示する正面図である。
【図２】図２は、本発明の第１実施形態に係る遊技機用可動演出装置において可動部材が待機位置に位置する状態の正面図である。
【図３】図３は、図２の遊技機用可動演出装置において可動部材が変位位置に位置する状態の正面図である。
【図４】図４は、図２の遊技機用可動演出装置において可動部材が待機位置に位置する状態の背面図である。
【図５】図５は、図２の遊技機用可動演出装置において可動部材が変位位置に位置する状態の背面図である。
【図６】図６は、図２の遊技機用可動演出装置を前方側且つ斜め上方側から見た分解斜視図である。
【図７】図７は、図２の遊技機用可動演出装置を後方側且つ斜め上方側から見た分解斜視図である。
【図８】図８は、図２の遊技機用可動演出装置の一部を、可動部材を透視して見た背面図である。
【図９】図９は、図２の遊技機用可動演出装置において可動部材が待機位置に位置する状態を説明する説明図である。
【図１０】図１０は、図９の状態より可動部材が変位を開始した状態を説明する説明図である。
【図１１】図１１は、図１０の状態より可動部材が更に変位した状態を説明する説明図である。
【図１２】図１２は、図２の遊技機用可動演出装置において可動部材が変位位置に位置する状態を説明する説明図である。
【図１３】図１３（Ａ）は、本発明の第２実施形態に係る遊技機用可動演出装置において、可動部材が待機位置に位置する状態を説明する説明図であり、図１３（Ｂ）は、可動部材が変位位置に位置する状態を説明する説明図である。
【図１４】図１４（Ａ）は、本発明の第３実施形態に係る遊技機用可動演出装置において、可動部材及び連動部材が待機位置に位置する状態を説明する説明図であり、図１４（Ｂ）は、可動部材及び連動部材が変位位置に位置する状態を説明する説明図である。
【発明を実施するための形態】
【００１８】
[第１実施形態]
以下、本発明に係る遊技機用可動演出装置１０及びそれを備えた遊技機１を具現化した第１実施形態について、図面を参照して説明する。
（遊技機の構成）
まず、図１を参照して遊技機１の構成を概説する。図１に示す遊技機１は、いわゆるパチンコ機として構成されるものであり、枠状に形成された外枠８の前面側の一側に木板（ベニヤ板）、アクリル板等によって構成される遊技盤２が装着される内枠が軸支手段を介して前面側に向かって片開き可能に支持され、その内枠の一側に遊技盤２とほぼ平行に配置される透明板（ガラス板等）を介して視認し得る前面枠９が開閉自在に設けられている。また、遊技盤２には盤面（前面２ａ）に沿って遊技球の発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、始動入賞口７ａ及び大入賞口７ｂが配置されている。そして、液晶表示部３の上方側において前後方向に液晶表示部３と一部が重なるようにして本発明に係る遊技機用可動演出装置１０が配置されている。なお、遊技機１は、ガイドレール５等によって区画された遊技領域内において透明板と遊技盤２との間を遊技球が流下するように構成されている。
【００１９】
本明細書において、「前後方向」とは、遊技盤２の前面２ａ（盤面）と直交する方向を意味し、前面２ａ（盤面）に対し遊技者が位置するべき側を前方側、それとは反対側（即ち、遊技機１奥側）を後方側とする。また、「上下方向」とは、遊技盤２の前面２ａと平行で遊技領域を遊技球が流下する方向（鉛直方向）を意味する。また、「左右方向」とは、上記「前後方向」及び「上下方向」と直交する方向を意味する。
【００２０】
（遊技機用可動演出装置の構成）
次に、第１実施形態に係る遊技機用可動演出装置１０について説明する。
図１に示すように、遊技機用可動演出装置１０（以下、可動演出装置１０ともいう）は、遊技盤２に直接的に又は他部材を介して間接的に固定されて用いられるものであり、その一部が遊技盤２の前方側から視認可能となるように露出した状態で配置されている。この可動演出装置１０は、図１に示すように遊技盤２の前面２ａ（盤面）の前方側において前面側の全体が露出する装飾部材６０を備えている。また、可動演出装置１０は、図示しない制御回路（ＣＰＵやメモリ等を備えてなる電子回路）によって電気的に制御されることで、例えば図２〜図５のように機械的に動作する構成をなしている。そして、装飾部材６０を遊技領域内で変位させて遊技機１の演出を行う構成となっている。具体的には、図２、図４に示すように、可動演出装置１０の非動作時に、装飾部材６０は液晶表示部３の前方側において所定の上方に位置する待機位置に位置しており、図３、図５に示すように、可動演出装置１０の動作時に、待機位置から変位して所定の下方に位置する変位位置に移動（回動）する構成となっている。
【００２１】
ここで、図２〜図１２を参照し、可動演出装置１０を構成する各部品について詳述する。
図６等に示すように、可動演出装置１０は、遊技盤２に直接的又は固定部材を介して間接的に固定されると共に可動演出装置１０を構成する各種部材が組み付けられる台板部材５０と、所定の待機位置と所定の変位位置との間で変位可能に構成される可動部材３０と、可動部材３０を変位させる駆動力を生じさせる駆動源２０と、可動部材３０が待機位置にあるときに当該可動部材３０に係合し、可動部材３０が待機位置から変位位置へ変位することを規制する規制部材４０と、規制部材４０に対して所定の付勢力を付与する付勢手段４２と、を備えている。更に、駆動源２０に組み付けられる第１伝達部材２２と、第１伝達部材２２と連動して回動して駆動力を伝達する第２伝達部材２４と、当該第２伝達部材２４と連結すると共に第１伝達部材２２と連動して当該第２伝達部材２４を介して駆動源２０からの駆動力を受けて変位する第３伝達部材２６と、を備えている。
以下、各構成要素について詳述する。
【００２２】
まず、駆動源２０について説明する。
駆動源２０は、公知のステッピングモータなどによって構成されるものであり、図７等に示すように、台板部材５０に締結ねじ等によって取り付けられている。また、駆動源２０は、図７等に示すように駆動力を発生させる本体部２０ａと、本体部２０ａの動作によって回動軸線Ｇ１（図９等参照）回りに回動する駆動軸２０ｂと、を備えている。この駆動源２０は、例えば図示しない制御回路からの制御信号を受けて駆動軸２０ｂを回転させるように構成されており、この駆動軸２０ｂの回転速度や回転角度は上記制御回路によって制御されるようになっている。例えば、所定の遊技状態（演出を行う状態）となったときと、所定の遊技状態が終了したときとで正逆回動するように、駆動源２０が駆動制御される。
【００２３】
第１伝達部材２２は、駆動源２０の駆動軸２０ｂに固定される主動歯車として構成され、図６、図７に示すように、略円板状に形成される歯形状部２２ａを備え、当該歯形状部２２ａを厚さ方向（前後方向）に貫通する挿通孔２２ｂが形成されている。そして、挿通孔２２ｂには駆動源２０の駆動軸２０ｂが挿通されることで、第１伝達部材２２が駆動源２０に固定され、第１伝達部材２２は駆動源２０と連動するようになっている。具体的には、第１伝達部材２２は、駆動源２０からの駆動力を受けて回動軸線Ｇ１（図４、図５等参照）回りに正逆回動するように構成されている。
【００２４】
また、第２伝達部材２４は、図６、図７に示すように、厚さ方向（前後方向）に貫通する挿通孔２４ｃを中心として従動歯車として構成される略円板状に形成される歯形状部２４ａと、当該歯形状部２４ａを中断して第２伝達部材２４の全体形状が涙形となるように周方向に突出する突出部に、前方に突出する軸部２４ｂと、を備えている。そして、挿通孔２４ｃに台板部材５０に形成される突出部５０ｄが挿通されることで第２伝達部材２４が回動自在となる。また、歯形状部２４ａは、第１伝達部材２２の歯形状部２２ａと噛み合うように配置されることで、第２伝達部材２４は、第１伝達部材２２と連動する構成となる。具体的には、第１伝達部材２２からの駆動力を受けて回動軸線Ｇ２（図４、図５等参照）回りに正逆回動するように構成されている。
【００２５】
また、第３伝達部材２６は、図６、図７に示すように、略Ｌ字状の細長い板状に形成されたリンク体であり、短辺側の端部に前後方向に貫通した挿通孔２６ｂ（図６右側）と、長辺側の端部に前後方向に貫通した挿通孔２６ｃ（図６左側）と、が形成されている。そして、挿通孔２６ｂに第２伝達部材２４の軸部２４ｂが挿通されることで第２伝達部材２４と連結し、挿通孔２６ｃに可動部材３０の軸ピン３０ｄが挿通されることで可動部材３０と連結し、可動部材３０が第１伝達部材２２、第２伝達部材２４、第３伝達部材２６と連動可能な構成となる。つまり、駆動源２０からの駆動力が第１伝達部材２２、第２伝達部材２４、第３伝達部材２６を介して可動部材３０に伝達され、可動部材３０が待機位置と変位位置との間を移動する。
【００２６】
次に、付勢手段４２について説明する。本実施形態では付勢手段４２として捻りバネを使用している。付勢手段４２は、図６、図７等に示すように、コイル状に線材が巻回されるコイル部４２ａと、そのコイル部４２ａの一端部から延長される第１延長部４２ｂと、他端部から延長される第２延長部４２ｃと、を備えている。そして、付勢手段４２は、後で詳述するが、第１延長部４２ｂが台板部材５０に係止され、第２延長部４２ｃが後述する規制部材４０に当接することで、規制部材４０に対して所定の付勢力を付与する構成となっており、規制部材４０（作用部４０ｃ）を可動部材３０（係合部３０ｆ）に係合させる方向に付勢するように配設している。
【００２７】
次に、台板部材５０について説明する。
台板部材５０は、図６、図７に示すように、遊技盤２の前面２ａに隣接して配置される板状の台板５０ａを備えている。また、台板５０ａの上下方向の中央部分且つ左右方向の右側寄りの位置に前後方向に貫通する貫通孔５０ｂが形成され、当該貫通孔５０ｂに台板部材５０の前方側から駆動源２０の駆動軸２０ｂが挿通され、台板部材５０の後方側で駆動軸２０ｂが第１伝達部材２２の挿通孔２２ｂに挿通される構成で、第１伝達部材２２が台板部材５０を挟んで駆動源２０に固定されることになる。また、台板５０ａの上下方向の上方寄り且つ左右方向の中方部分の位置に、付勢手段４２のコイル部４２ａが配置される凹窪部５０ｆが前方に凹んで形成され、その中心に前後方向に貫通する貫通孔５０ｃが形成されている。そして、当該貫通孔５０ｃに台板部材５０の後方側から可動部材３０の回動軸３０ｃを付勢手段４２のコイル部４２ａを介して挿通する構成となっている。このような構成によって、可動部材３０が台板部材５０に回動軸線Ｇ３（図９〜図１２参照）回りに回動可能に組付けられる。また、台板５０ａの後方側において、上下方向の中央部分且つ左右方向の右側寄りの位置（貫通孔５０ｂの右斜め上方側に隣接する位置）に後方に突出する凸形状の突出部５０ｄが形成されている。そして、第２伝達部材２４の挿通孔２４ｃを当該突出部５０ｄに挿通することで、第２伝達部材２４が台板部材５０に回動軸線Ｇ２（図４、図５、図９〜図１２参照）回りに回動可能組付けられる。
【００２８】
また、凹窪部５０ｆは、図８に示す台板５０ａの後方側において、貫通孔５０ｃを中心とした円孔状に凹設された部分と当該円孔状の部分から左斜め下方に延びる直線状の溝状部分とから構成されている。そして、付勢手段４２のコイル部４２ａが凹窪部５０ｆの円孔凹部に配置され、第１延長部４２ｂが凹窪部５０ｆの線状の溝状部分に配置される構成となっている。また、凹窪部５０ｆの直線状の溝状部分には、付勢手段４２の第１延長部４２ｂを係止し溝状部分から抜脱しないように、図８において溝壁から右斜め下方に突出する係止部５０ｉが舌片状に形成されている。そして、付勢手段４２の第１延長部４２ｂが係止部５０ｉによって係止されることで、付勢手段４２の一部（第１延長部４２ｂ）を固定して台板部材５０に付勢手段４２を組み付けることができる。
【００２９】
また、台板５０ａの後方側において、上方寄り且つ左側寄りの位置に後方に突出する円筒形（ボス形状）の突出部５０ｇが形成され、規制部材４０の挿通孔４０ｂに挿通して規制部材４０を回動自在に保持するように構成されている。また、突出部５０ｇの上方には、台板５０ａから後方に起立する壁部が規制部材４０の回動を規制するストッパー５０ｈとして形成されている。ストッパー５０ｈは、図８において突出部５０ｇの上方の所定の位置から右斜め下方向に延出する形状であり、後方側に向かう高さは突出部５０ｇの半分程度となっている。このように構成されるストッパー５０ｈに対して、規制部材４０の側壁部４０ｅを当接させることによって規制部材４０の回動を停止させるように機能する。
【００３０】
次に、可動部材３０について説明する。
可動部材３０は、台板部材５０の後方側において、前後方向に沿った回動軸線Ｇ３（図４、図５、図９〜図１２等参照）回りに回動可能に保持され、第３伝達部材２６と連動可能に連係され、駆動源２０の駆動力を受けて変位可能に設けられる。そして、自身に組み付けられる装飾部材６０を遊技領域内で変位させるように機能する。また、可動部材３０は、所定の待機位置（具体的には、図９に示す回動位置）と所定の変位位置（具体的には、図１２に示す回動位置）との間で変位可能に構成されると共に、待機位置にある常態では規制部材４０によって保持され、待機位置から変位位置へ変位することを規制される。
【００３１】
この可動部材３０は、図６、図７に示すように全体として長手状の形態をなし、回動の中心軸部分を構成する基端部３０ａと、当該基端部３０ａから径方向に延出する略長手板形状のアーム部３０ｂと、を備えている。また、基端部３０ａは、前後方向を厚さ方向とする略円板状に形成され、基端部３０ａの板面の中心部分において前方向に段部を介して突出する回動軸３０ｃが形成されると共に、基端部３０ａの前方側において回動軸３０ｃに対してアーム部３０ｂの延出方向とは反対側の部分で前方に突出する軸ピン３０ｄが設けられている。また、アーム部３０ｂと基端部３０ａとが連結する部分の周縁部において回動軸３０ｃ方向に窪む凹溝を構成する壁部となる係合部３０ｆが切欠き形成されている。さらに、規制部材４０と対向する基端部３０ａには、回動軸３０ｃ（より詳しくは回動軸線Ｇ３）の軸方向から見て係合部３０ｆと連続した外郭線を持つと共に、規制部材４０が所定の接触状態を保持する形状の側面部３０ｇが形成されている。具体的には、側面部３０ｇは、回動軸３０ｃ（より詳しくは回動軸線Ｇ３）から当該外郭線までの距離が一定となるように形成されている。即ち、図９等に示すように、側面部３０ｇが、回動軸３０ｃ（より詳しくは回動軸線Ｇ３）からの距離が一定となる円弧状の周縁部として基端部３０ａに形成されている。
【００３２】
また、係合部３０ｆは、可動部材３０が待機位置に位置する時に、付勢手段４２によって当該係合部３０ｆに係合させる方向に付勢される作用部４０ｃと係合する構成となっている。そして、係合部３０ｆは、可動部材３０が待機位置にあるときに当該係合部３０ｆが向かおうとする移動方向とは反対方向に作用部４０ｃから押圧力を受けることになる。また、係合部３０ｆを形作る溝は、前後方向から見て略三角形状に切欠かれる形態となっており、後述する規制部材４０の作用部４０ｃが入り込める程度の大きさの切欠き形状となっている。具体的には、図９に示すような可動部材３０が待機位置に位置する状態で、基端部３０ａの周縁部から回動軸３０ｃに向かう方向に切欠かれる形状であって、更に下方にはくさび状に切欠かれる形状となっている。また、図９に示すような可動部材３０が待機位置に位置する状態で、係合部３０ｆを構成する上方の壁部は略水平で上下方向に面する上壁部３０ｈとして構成される。そして、当該上壁部３０ｈは側面部３０ｇと滑らかに接続され、図９等に示すように、上壁部３０ｈの一部（左端部）と側面部３０ｇの一部（下端部）との接続部分が円弧形状部分３０ｉとして形成されている。また、この係合部３０ｆは、可動部材３０が所定の待機位置から所定の変位位置に移動する移動開始時に所定の移動方向に移動する構成となっている。具体的には、可動部材３０が回動軸線Ｇ３回りに回動する動作に伴って、係合部３０ｆは可動部材３０の回動軸線Ｇ３と同じ軸線回りに同じ方向に回動する構成となっている。そして、可動部材３０が待機位置にあるときに当該係合部３０ｆは、可動部材３０が自重等の負荷で向かおうとする下方向の移動方向とは反対の上方向に作用部４０ｃから押圧力を受ける構成である。
【００３３】
また、可動部材３０のアーム部３０ｂには、基端部３０ａと接続される端部とは反対側の端部の前面側において、前方に突出し装飾部材６０を軸支する突出部３０ｅが形成されている。
【００３４】
次に、装飾部材６０について説明する。図６、図７に示すように、装飾部材６０は、円板状の装飾部６０ａによって構成され、当該の装飾部６０ａの後方側の面において中央部分よりも上方側よりの位置に前後方向に貫通する挿通孔６０ｂが形成されている。装飾部６０ａは、前面側に前後方向以外の方向性を有する文字・数字・記号・図形等の装飾（意匠）の表示対象が表記又はかたどられ、遊技機１の構成と関連した装飾を施すことによって演出効果を高める構成となっている。また、挿通孔６０ｂに、ベアリング等介して可動部材３０の突出部３０ｅが遊嵌する構成であり、装飾部材６０が揺動又は回動自在に軸支される。そして、可動部材３０が変位することによって、装飾部材６０は、液晶表示部３の前面を横切るように変位して演出を行う構成となっている。このとき、装飾部材６０は、可動部材３０が待機位置から変位位置に移動する際に、遊技盤２に対して一定の方向性を維持しながら移動し、前面側に施された文字・数字・記号・図形等の装飾（意匠）が方向性を変えることなく、遊技者に視認される。
【００３５】
次に、規制部材４０について説明する。規制部材４０は、図８等に示すように、可動部材３０と対向する位置に設けられ、図６、図７に示すように、前後方向に略円柱状に形成される本体部４０ａを備え、本体部４０ａを前後方向に貫通する挿通孔４０ｂと、本体部４０ａから径方向に延出する作用部４０ｃと、当該作用部４０ｃから所定間隔離れた位置において略Ｌ字形態で突出する突出部４０ｄと、が形成されている。規制部材４０は、挿通孔４０ｂを台板部材５０の突出部５０ｇに挿通することで、突出部５０ｇを回動軸として回動軸線Ｇ４（図４、図５、図９〜図１２参照）回りに回動可能になっている。規制部材４０は、可動部材３０が待機位置にあるときに作用部４０ｃが可動部材３０の係合部３０ｆに係合し、可動部材３０を待機位置に保持し、常態で変位位置へ変位することを規制するように機能する。また、図９に示すように、規制部材４０の回動軸線Ｇ４と、可動部材３０の係合部３０ｆと作用部４０ｃの係合位置とは、上下方向において略同一の高さに位置している。作用部４０ｃは、可動部材３０が待機位置に位置する時に、付勢手段４２によって係合部３０ｆに係合させる方向に付勢される構成となっている。そして、作用部４０ｃは、可動部材３０が待機位置にあるときに自重により係合部３０ｆが向かおうとする移動方向（下方向）とは反対方向に当該係合部３０ｆを押圧するように機能する。また、突出部４０ｄは、作用部４０ｃと前後方向において所定間隔おいて形成されており、当該突出部４０ｄと作用部４０ｃとの間に入り込んで配置される付勢手段４２の第１延長部４２ｂの抜脱を防ぐ構成となっている。そして、規制部材４０は、付勢手段４２の付勢による作用部４０ｃと係合部３０ｆとの係合時に、可動部材３０を変位位置から待機位置に向かう方向に付勢する付勢力を付勢手段４２から付与されることになる。規制部材４０に対して付勢手段４２による付勢力が与えられることで、作用部４０ｃが係合部３０ｆを可動部材３０の自重方向と反対の上方向に押圧する力により可動部材３０が待機位置を維持することになる。
【００３６】
また、規制部材４０には、本体部４０ａの略円柱形状の内部であって、突出部４０ｄと作用部４０ｃとの間において下方側に面する上壁部４０ｆが形成されている（図７〜図１２参照）。可動部材３０が待機位置に位置するときに、図９等に示すようにこの上壁部４０ｆが下方側に面するように、規制部材４０が配置される構成となっている。また、規制部材４０には、図９等に示すように、本体部４０ａの略円柱形状部分の側面部を切欠くようにして形成された壁形状の側壁部４０ｅが形成されている。この側壁部４０ｅは、図９等に示すように、可動部材３０が待機位置に位置するときに、右斜め下方に向かって低位置となるように傾斜して配置され、台板部材５０のストッパー５０ｈと面接触するようになっている。そして、規制部材４０は、挿通孔４０ｂに台板部材５０の突出部５０ｇを挿入して、回動自在に台板部材５０に組み付けられる。このとき、付勢手段４２は第１延長部４２ｂが台板部材５０の係止部５０ｉによって固定される一方で、第２延長部４２ｃが突出部４０ｄと作用部４０ｃとの間に入り込むと共に、上壁部４０ｆに下方側から当接するようになっている。そして、この上壁部４０ｆを付勢手段４２の第２延長部４２ｃが押圧することで、規制部材４０が付勢手段４２から上向きの付勢を受ける構成となっている。
【００３７】
（可動演出装置の動作）
次に、可動演出装置１０の動作について説明する。
まず、可動演出装置１０が演出を行っていない状態（常態）、つまり駆動源２０が制御回路からの制御信号を受けず、駆動軸２０ｂを回転動作しないときには、第１伝達部材２２は回動せず、第１伝達部材２２と連動する第２伝達部材２４は、図９に示すように、歯形状部２４ａが第１伝達部材２２の歯形状部２２ａと噛合して軸部２４ｂの位置が回動軸線Ｇ２より下位となる位置で第３伝達部材２６と連係している。また、第３伝達部材２６は、Ｌ字状の屈曲部が突出部５０ｄを囲むように位置して、可動部材３０との連係部（挿通孔２６ｃ）は回動軸線Ｇ２より上位位置いる。つまり、第３伝達部材２６は、第２伝達部材２４との連係部と、可動部材３０との連係部が回動軸線Ｇ２を介して上下左右の略対称位置に位置している。また、第１伝達部材２２、第２伝達部材２４、第３伝達部材２６と連動する可動部材３０は、図９に示すように可動部材３０のアーム部３０ｂが少し下傾斜した待機位置に保持される。また、当該アーム部３０ｂに連結する装飾部材６０は、所定の上方位置（図２、図４参照）に保持され、演出の待機状態となっている。なお、第２伝達部材２４と第３伝達部材２６との連係部が、図９に示すように回動軸線Ｇ２より左側（可動部材３０と反対方向）であり、且つ下位位置で連係されることにより、始動時に連係部が一旦外側（可動部材３０から離間する方向）に向かうようになっているため、可動部材３０が自重で回動する作用を抑制する効果を奏する。本実施形態では、このように可動部材３０が待機位置に位置するときに、規制部材４０（作用部４０ｃ）が可動部材３０（係合部３０ｆ）と係合することによって待機位置を保持すると共に可動部材３０が自重により待機位置から変位位置へ変位することを規制する構成となっている。
【００３８】
次に、規制部材４０による規制動作について説明する。図９に示すような可動部材３０が待機位置に位置するときに、作用部４０ｃは付勢手段４２の付勢により可動部材３０の係合部３０ｆに係合している。そして、規制部材４０の作用部４０ｃは、係合部３０ｆの上壁部３０ｈに当接係合して可動部材３０の自重により係合部３０ｆが変位方向に向かおうとする下方向への移動方向とは反対方向に当該係合部３０ｆを押圧することになる。即ち、可動部材３０が自重等によって待機位置から変位位置方向（下方向）に変位しようとするとき、それに応じて係合部３０ｆは下方の移動方向に移動しようとすることになるが、係合部３０ｆの移動経路上に規制部材４０（より詳しくは作用部４０ｃ）が付勢手段４２から付勢を受けた状態で位置しているため、係合部３０ｆは移動方向とは反対方向（上方向）に作用部４０ｃから押圧される状態となる。ここで、可動部材３０の係合部３０ｆは、可動部材３０が待機位置のときの位置よりも、変位位置のときの位置の方が下方となる構成であり、可動部材３０が待機位置にあるときに係合部３０ｆが向かおうとする方向が下方向又は斜め下方向となる構成である。具体的には、可動部材３０は待機位置でも自重（アーム部３０ｂの荷重等）により、回動軸線Ｇ３を中心に時計回りに回動しようとし、それに応じて係合部３０ｆも回動軸線Ｇ３を中心に時計回りに回動をしようとする。このとき係合部３０ｆは図９において規制部材４０と対向する回動軸３０ｃの右方向に位置するため、下方に移動（回動）しようとする。また、規制部材４０は、付勢手段４２から回動軸線Ｇ４回り（時計回り）に回動するように付勢を受けるため、それに応じて作用部４０ｃも回動軸線Ｇ４を中心に時計回りに回動付勢され、作用部４０ｃに上下方向で当接する係合部４０ｆに対して上方に押圧する作用を及ぼすことになる。なお、可動部材３０の係合部３０ｆと後述する作用部４０ｃの接合位置と、規制部材４０の回動軸線Ｇ４とは、上下方向において略同一の高さに位置している。このようにして、規制部材４０の作用部４０ｃが、可動部材３０の係合部３０ｆを下方側から支持する構成になる。
【００３９】
また、規制部材４０は、付勢手段４２の付勢に基づいた作用部４０ｃと係合部３０ｆとの係合時に、付勢手段４２によって可動部材３０を変位位置から待機位置に向かう上方向に付勢する付勢力が付与される。そして、規制部材４０に対して付勢手段４２による付勢力が与えられることで、規制部材４０の作用部４０ｃが可動部材３０の係合部３０ｆを当該係合部３０ｆが向かおうとする移動方向とは反対方向に押圧する力が付与されることになる。具体的には、規制部材４０の作用部４０ｃが可動部材３０の係合部３０ｆを上方側に押圧し、可動部材３０を待機位置に維持する力が付与される。そして、図９に示すように、規制部材４０（側壁部４０ｅ）がストッパー５０ｈに当接した状態でも付勢手段４２から付勢力が加わる構成であり、常に規制部材４０が付勢手段４２から付勢力を受けて作用することで、規制部材４０が可動部材３０を待機位置に安定して保持することができる。
【００４０】
次に、可動演出装置１０の演出動作について説明する。
図９に示すように、可動部材３０が待機位置に位置するときに、駆動源２０が制御回路からの制御信号を受けて駆動軸２０ｂを回転動作した場合、図１０に示すように第１伝達部材２２は駆動源２０に連動して回動軸線Ｇ１を中心として反時計回りに回動を始める。また、第２伝達部材２４は、第１伝達部材２２に連動して回動軸線Ｇ２を中心として時計回りに回動を始める。そして、図１０に示すように、第２伝達部材２４に連動する第３伝達部材２６は、第２伝達部材２４の回動に応じて回動軸線Ｇ２を中心として時計回りに回動する軸部２４ｂに押圧されて、可動部材３０に対して回動軸線Ｇ３を中心として時計回りに回動させる方向に変位を始める。また、可動部材３０の軸ピン３０ｄは第３伝達部材２６から押圧されることで変位し、それに応じて可動部材３０は、回動軸線Ｇ３を中心として時計回りに回動を始める。そして、アーム部３０ｂが回動軸線Ｇ３を中心として時計回りに回動を始めるため、アーム部３０ｂに連結する装飾部材６０はそれに応じて下方に変位し始める。また、可動部材３０の回動に応じて係合部３０ｆが回動軸線Ｇ３を中心として時計回りに回動し始めるため、係合部３０ｆが移動経路上に位置する規制部材４０の作用部４０ｃを下方に押圧する。可動演出装置１０の演出時は、可動部材３０の係合部３０ｆが、付勢手段４２の付勢に基づく規制部材４０の押圧力に抗して変位する構成となっているため、規制部材４０の作用部４０ｃは下方に変位し、それに応じて規制部材４０は回動軸線Ｇ４を中心として反時計回りに回動を始めることになる。なお、このように可動部材３０の係合部３０ｆが回動軸線Ｇ３を中心として回動し始めると共に、規制部材４０の作用部４０ｃが回動軸線Ｇ４を中心として回動し始めるため、図１０に示すように規制部材４０の作用部４０ｃが可動部材３０の係合部３０ｆの移動経路上から外れるように移動することになる。具体的には、規制部材４０は、図１０に示すように係合部３０ｆとの係合が外れて、可動部材３０の円弧形状部分３０ｉが規制部材４０の作用部４０ｃを押圧する状態となる。
【００４１】
図１０に示す可動演出装置１０の状態から、更に駆動源２０が駆動軸２０ｂを回転動作した場合、図１１に示すように第１伝達部材２２は駆動源２０に連動して回動軸線Ｇ１を中心として更に反時計回りに回動する。また、第２伝達部材２４は、第１伝達部材２２に連動して回動軸線Ｇ２を中心として時計回りに更に回動する。そして、図１１に示すように、第３伝達部材２６は、第２伝達部材２４に連動して可動部材３０に対して回動軸線Ｇ３を中心として時計回りに回動させる方向に更に変位する。また、可動部材３０の軸ピン３０ｄは第３伝達部材２６から更に押圧されることで変位し、それに応じて可動部材３０は、回動軸線Ｇ３を中心として時計回りにさらに回動し、同様に回動するアーム部３０ｂに連結する装飾部材６０はそれに応じて更に下方に変位する。また、係合部３０ｆがその移動経路上に位置する規制部材４０の作用部４０ｃを更に下方に押圧する。そして、規制部材４０は回動軸線Ｇ４を中心として反時計回りに更に回動する。そのため、図１１に示すように規制部材４０の作用部４０ｃは、可動部材３０の係合部３０ｆの移動経路上から外れる。具体的には、規制部材４０の作用部４０ｃは、図１０に示すように可動部材３０の円弧形状部分３０ｉを押圧する状態から滑らかに変化し、図１１に示すように可動部材３０の側面部３０ｇを押圧する状態となる。
【００４２】
図１１に示す可動演出装置１０の状態から、更に駆動源２０が駆動軸２０ｂを回転動作して、第１伝達部材２２は駆動源２０に連動して回動軸線Ｇ１を中心として更に反時計回りに回動し、駆動源２０に連動して保持され図１２に示すような位置に維持されることになる。また、第２伝達部材２４は、第１伝達部材２２に連動して回動軸線Ｇ２を中心として時計回りに更に回動して、第１伝達部材２２に連動して保持され図１２に示すように、第３伝達部材２６との連係部が回動軸線Ｇ２より右側位置に維持されることになる。そして、第３伝達部材２６は、第２伝達部材２４に連動して可動部材３０に対して回動軸線Ｇ３を中心として時計回りに回動させる方向に更に変位し、図１２に示すような位置に維持されることになる。また、可動部材３０の軸ピン３０ｄは第３伝達部材２６から更に押圧されることで変位し、それに応じて可動部材３０は、回動軸線Ｇ３を中心として時計回りに更に回動して図１２に示すような変位位置に維持されることになる。そして、回動軸線Ｇ３を中心として時計回りにさらに回動するアーム部３０ｂに応じて、当該アーム部３０ｂに連結する装飾部材６０は更に下方に変位して図３及び図５に示すような下方位置に維持されることになる。
【００４３】
また、規制部材４０は、係合部３０ｆとの係合が解除される図１１に示すような状態から可動部材３０が変位位置に移動した図１２に示すような状態まで、所定の接触状態を保持して可動部材３０の側面部３０ｇを押圧し続けることになるが、作用部４０ｃが側面部３０ｇを回動軸３０ｃ（より詳しくは回動軸線Ｇ３）方向に押圧する構成となっている。具体的には、可動部材３０の側面部３０ｇと規制部材４０の作用部４０ｃとの当接点と回動軸線Ｇ３を通る直線が、当該当接点と回動軸線Ｇ４とを通る直線と、略直交するような構成で規制部材４０が可動部材３０を押圧し続けることになっている。そのため、可動部材３０が規制部材４０から受ける押圧力に回動方向成分（回動軸線Ｇ３回りの方向成分）が含まれないか又は微弱となるため、駆動源２０からの駆動力に基づいた可動部材３０の回動動作を妨げることがない。即ち、可動部材３０は、非規制時に規制部材４０の押圧作用に抗した動作を行うことなく図１１に示す状態から図１２に示す状態（変位位置に位置する状態）まで円滑に回動することができる。
【００４４】
また、可動部材３０の側面部３０ｇは、回動軸３０ｃから一定の距離となる円弧面に構成されるため、可動部材３０の回動時に、規制部材４０の作用部４０ｃが一定の位置で回動軸３０ｃに向かって可動部材３０を押圧し続けることができる。即ち、可動部材３０の回動時に、規制部材４０は、図１１及び図１２に示すような回動位置を保持した状態で可動部材３０を押圧し続ける構成となっている。そのため、規制部材４０を付勢する付勢手段４２は、一定の付勢力を規制部材４０に与え続けることになり、その形態を変形させることがなく負荷を受け難くなっている。
【００４５】
続いて、可動部材３０が図１２に示すような変位位置に位置する状態から、図９に示すような待機位置に位置する状態へと戻る動作について説明する。図１２に示すような可動部材３０が変位位置に位置するときに、駆動源２０が制御回路からの制御信号を受けて駆動軸２０ｂを反転して回転動作させることで、第１伝達部材２２は駆動源２０に連動して回動軸線Ｇ１を中心として時計回りに回動し、図１１、図１０に示す回動状態の順に遷移し、図９に示す演出開始前の状態に戻る。同様に、第２伝達部材２４は、第１伝達部材２２に連動して回動軸線Ｇ２を中心として反時計回りに回動を始め、図９に示す位置に戻る。そして、図１０に示すように、第２伝達部材２４に連動する第３伝達部材２６は、第２伝達部材２４の回動に応じて回動軸線Ｇ２を中心として反時計回りに回動する軸部２４ｂに押圧されて、可動部材３０に対して回動軸線Ｇ３を中心として反時計回りに回動させる方向に変位を始め、図９に示す位置に戻る。また、可動部材３０の軸ピン３０ｄは第３伝達部材２６から牽引されることで変位しようとし、それに応じて可動部材３０は、回動軸線Ｇ３を中心として反時計回りに回動し、図９に示す待機位置へと戻る。そして、アーム部３０ｂが回動軸線Ｇ３を中心として反時計回りに回動し、図９に示す位置へと戻るため、アーム部３０ｂに連結する装飾部材６０はそれに応じて上方に変位して図２及び図４に示す上方位置に戻る。
【００４６】
なお、可動部材３０が図１０に示す回動位置まで戻ったときに、規制部材４０の作用部４０ｃが可動部材３０の係合部３０ｆ（凹溝）に入り始め、円弧形状部分３０ｉを押圧する状態となる。更に、規制部材４０の作用部４０ｃがこのような円弧形状部分３０ｉを押圧する場合、規制部材４０は回動軸線Ｇ４を中心とする時計回りに付勢される構成であるため、作用部４０ｃは可動部材３０に対して変位位置から待機位置へ向かう回動方向（回動軸線Ｇ３を中心とする反時計回り方向）成分を含む駆動力を与えることになる。即ち、規制部材４０の作用部４０ｃは、係合部３０ｆに係合しながら待機位置方向に当該係合部３０ｆを押圧することになる。そして、可動部材３０が規制部材４０の押圧力を利用して安定した動作で円滑に変位し、最終的に図９に示すような待機位置へと戻ることになる。また、図９に示すような可動部材３０が待機位置に再び位置すると、上述したような規制動作、即ち、規制部材４０の作用部４０ｃが、可動部材３０の係合部３０ｆが向かおうとする移動方向とは反対方向に当該係合部３０ｆを押圧する構成によって、可動部材３０が変位位置に変位することを規制する。なお、可動演出装置１０の動作は、例えば、上述した可動部材３０が待機位置と変位位置との間を移動する動作（図９に示す状態から図１２に示す状態へ変化する動作、及び図１２に示す状態から図９に示す状態へ変化する動作）を繰り返すように構成されている。
【００４７】
（第１実施形態の主な効果）
本発明の遊技機用可動演出装置１０及び遊技機１において、付勢手段４２は、規制部材４０の作用部４０ｃを可動部材３０の係合部３０ｆに係合させる方向に付勢すると共に、作用部４０ｃと係合部３０ｆとの係合時に係合部３０ｆを構成する上壁部３０ｈに当接するように付勢している。そのため、可動部材３０の待機位置（作用部４０ｃと係合部３０ｆとの係合時）において、付勢手段４２により可動部材３０に対して上方向（変位位置から待機位置に向かう方向）に力が加わることになり、可動部材３０が自重等により変位位置に変位しようとする力を抑制して可動部材３０を待機位置に安定して位置させることができる。
【００４８】
また、係合部３０ｆは、可動部材３０が待機位置のときの位置よりも、変位位置のときの位置の方が下方となる構成であり、作用部４０ｃは、可動部材３０が待機位置にあるときの係合部３０ｆを下方側から支持し、且つ規制部材４０に対して付勢手段４２による付勢力が与えられることで、作用部４０ｃが係合部３０ｆを上方側に押圧し、可動部材３０を待機位置に維持する力が付与される構成となっている。
このような構成によって、可動部材３０が、係合部３０ｆが変位位置のときよりも上方となる待機位置に位置するときに、作用部４０ｃが係合部３０ｆに対して上方に押圧力を及ぼすため、可動部材３０の自重に基づく下方への変位を抑制して、可動部材３０を規制しつつより安定的に上方の待機位置に保持することができる。
【００４９】
また、可動部材３０は、所定の回動軸線Ｇ３を有する回動軸３０ｃを中心に回動可能に構成され、規制部材４０は、可動部材３０と対向する位置に回動軸線Ｇ３とは異なる所定の回動軸線Ｇ４を中心に回動可能に構成され、係合部３０ｆと作用部４０ｃの接合（係合）位置と、規制部材４０の回動軸線Ｇ４とは、上下方向において略同一の高さに位置する構成となっている。
このような構成によって、作用部４０ｃと係合部３０ｆが上下方向で当接し易く、作用部４０ｃから係合部３０ｆに上方に向かう力を及ぼし易くなる。
【００５０】
また、作用部４０ｃは、可動部材３０が駆動源２０からの駆動力を受けて変位位置から待機位置に変位する際に、係合部３０ｆに係合しながら可動部材３０を待機位置方向に付勢する構成となっている。
このような構成によって、可動部材３０が規制部材４０の押圧力（付勢力）を利用して変位位置から待機位置へと変位することができ、安定した動作で円滑に可動部材３０を待機位置へと変位させることができる。
【００５１】
また、可動部材３０は、係合部３０ｆと連続した外郭線を持つ側面部３０ｇが形成され、可動部材３０が駆動源２０からの駆動力を受けて変位する際に、作用部４０ｃが側面部３０ｇに接触し押圧する構成となっている。
このような構成によって、可動部材３０が駆動源２０からの駆動力を受けて変位する際に、作用部４０ｃが係合部３０ｆと連続した外郭線を持つ側面部３０ｇを回動軸３０ｃ方向に押圧するため、可動部材３０は規制部材４０から変位に抗するような回動方向に駆動力が加わり難く、駆動源２０からの駆動力に基づいた可動部材３０の変位動作を妨げることがない。即ち、可動部材３０は、非規制時に規制部材４０の押圧作用に抗した動作を行うことなく円滑に変位することができる。
【００５２】
また、可動部材３０の側面部３０ｇは、規制部材４０が所定の接触状態を保持する形状（回動軸３０ｃから外郭線までの距離が一定となる円弧形状）に形成される構成となっている。
このような構成によって、駆動源２０からの駆動力に基づく可動部材３０の変位時に、規制部材４０の作用部４０ｃが所定の接触状態で可動部材３０を押圧し続けることができ、規制部材４０を付勢する付勢手段４２に負荷を与えることがない。
【００５３】
また、可動部材３０は、回動軸３０ｃから径方向に延出するアーム部３０ｂを備え、係合部３０ｆは、アーム部３０ｂの基端部分に形成される構成となっている。
このように、アーム部３０ｂを設けることによって可動演出装置１０の装飾性や遊技性を高めると共に、係合部３０ｆをアーム部３０ｂの基端部分に設けることで、当該係合部３０ｆに作用を及ぼす規制部材４０を可動部材３０、特にアーム部３０ｂと干渉しない位置に配置し易くなり、アーム部３０ｂの可動範囲を大きく設定することができる。
【００５４】
[第２実施形態]
本発明に係る遊技機用可動演出装置及びそれを備えた遊技機１を具現化した第２実施形態について、図１３等を参照して説明する。上記第１実施形態では、可動部材３０が回動軸線Ｇ３を中心として回動する構成を例示したが、第２実施形態の可動部材は、所定方向に沿ってスライド可能となるように構成されている。以下、第１実施形態と同一の部分については詳細な説明は省略する。
【００５５】
（遊技機用可動演出装置の構成）
可動部材２３０は、図１３（Ａ）（Ｂ）に示すように、上下方向に沿ってスライド可能に第１実施形態の台板部材５０と同様の構成の台板部材（図示略）によって保持されている。また、可動部材２３０は、駆動源（第１実施形態と同様の構成で、図示略）の駆動力を直接又は伝達部材（１又は複数）を介して変位可能に構成され、自身に組み付けられる装飾部材（図示略）を遊技領域内で変位させるように機能する。また、可動部材２３０は、図１３（Ａ）に示すような所定の待機位置と当該待機位置よりも下方となる図１３（Ｂ）に示すような所定の変位位置との間で変位可能に構成されると共に、待機位置にあるときに規制部材２４０によって待機位置から変位位置への変位が規制される。
【００５６】
この可動部材２３０は、図１３（Ａ）（Ｂ）に示すように全体として略直方体状の形態をなしている。また、可動部材２３０の右側面には、前後方向から見て可動部材２３０の変位方向と平行な直線状外郭線となるような構成の側面部２３０ｇが形成されている。また、可動部材２３０の側面部２３０ｇには、左方向に凹む溝を構成する壁部となる係合部２３０ｆが形成され、側面部２３０ｇが係合部２３０ｆと連続した外郭線となっている。この係合部２３０ｆは、可動部材２３０が図１３（Ａ）に示す待機位置に位置する時に、付勢手段（図示略）によって当該係合部２３０ｆに係合させる方向に付勢される規制部材２４０の作用部２４０ｃが係合する構成となっている。そして、係合部２３０ｆは、可動部材２３０が待機位置にあるときに当該係合部２３０ｆが可動部材２３０の自重等により向かおうとする下方向の移動方向とは反対の上方向に付勢手段の付勢により作用部２４０ｃから押圧力を受ける構成となっている。また、係合部２３０ｆを形作る溝は、前後方向から見て略三角形状に切欠かれる形態となっており、規制部材２４０の作用部２４０ｃが入り込める程度の大きさの切欠き形状となっている。具体的には、可動部材２３０の側面部２３０ｇから左側面に向かう方向に凹む形状であって、更に下方部分は右側に低位置となるように傾斜する形状となっている。また、係合部２３０ｆを構成する上方の壁部は側面部２３０ｇと直交するように略水平で上下方向に面する上壁部２３０ｈとして構成され、当該上壁部２３０ｈは側面部２３０ｇと滑らかに接続され、図１３（Ａ）（Ｂ）に示すように、上壁部２３０ｈの一部（右端部）とが側面部２３０ｇの一部（係合部２３０ｆに隣接する部分）と連続して円弧形状部分２３０ｉが形成されている。また、この係合部２３０ｆは、可動部材２３０が下方にスライド移動する動作に伴って、可動部材２３０の移動方向と同じ下方にスライド移動する構成となっている。
【００５７】
規制部材２４０は、第１実施形態の規制部材４０と同様の構成となっており、規制部材２４０は、付勢手段（第１実施形態と同様に構成され（図６等参照）、図示略）の付勢により可動部材２３０が待機位置にあるときに係合部２３０ｆに係合すると共に、当該可動部材２３０が自重等により待機位置から変位位置へ変位することを規制するように機能する。なお、本実施形態では、図１３（Ａ）（Ｂ）に示すように規制部材２４０が常に可動部材２３０の側面部２３０ｇに隣接（対向）する位置に配置されている。また、付勢手段（図示略）は、可動部材２３０が待機位置に位置する時に、作用部２４０ｃを係合部２３０ｆに係合させる方向に付勢する構成となっている。そして、作用部２４０ｃは、図１３（Ａ）に示す可動部材２３０が待機位置にあるとき、つまり付勢手段（図示略）の付勢による作用部２４０ｃと係合部２３０ｆとの係合時に、可動部材２３０の自重等により係合部２３０ｆが向かおうとする移動方向（下方）とは反対方向（上方）に当該係合部２３０ｆを押圧するように機能する。また、規制部材２４０は、可動部材２３０の係合部２３０ｆと作用部２４０ｃとの係合位置が、規制部材２４０の回動中心となる回動軸線Ｇ５と上下方向において略同一の高さとなるように配置されている。
【００５８】
（可動演出装置の動作）
次に、可動演出装置の動作について説明する。
可動演出装置が演出を行っていない状態（常態）では、第１実施形態と同様に駆動源が動作しない場合には可動部材２３０に駆動力が与えられることがないため、可動部材２３０は図１３（Ａ）に示すような待機位置に維持されることになる。このとき、規制部材２４０は、付勢手段（図示略）の付勢により係合部２３０ｆに係合した状態にある。なお、可動部材２３０の係合部２３０ｆと、規制部材２４０の作用部２４０ｃとの間の係合状態及び作用の態様は第１実施形態の構成と同様であるため、詳細な規制動作の説明を省略する。本実施形態では、可動部材２３０は、自重等によって待機位置から変位位置方向（下方向）にスライド移動しようとするとき、それに応じて係合部２３０ｆは下方の移動方向に移動しようとすることになる。なお、可動部材２３０は待機位置でも自重により、下方向にスライド移動しようとし、それに応じて係合部２３０ｆも下方向にスライド移動しようとする。そこで、可動部材２３０の係合部２３０ｆの移動経路上に規制部材２４０（より詳しくは作用部２４０ｃ）が付勢手段（図示略）から付勢を受けた状態で位置しているため、係合部２３０ｆは移動方向とは反対方向（上方向）に作用部２４０ｃから押圧される状態となる。そのため、可動部材２３０の待機位置（作用部２４０ｃと係合部２３０ｆとの係合時）において、付勢手段（図示略）により可動部材２３０に対して上方向（変位位置から待機位置に向かう方向）に力が加わることになり、可動部材２３０が自重等によりスライド移動しようとする力を抑制して可動部材２３０を待機位置に安定して位置させることができる。
【００５９】
可動演出装置が演出を行う場合には、第１実施形態と同様に駆動源（図示略）が動作して可動部材２３０に駆動力が与えられることになり、可動部材２３０は図１３（Ａ）に示すような待機位置から図１３（Ｂ）に示すような変位位置にスライド移動を開始する。ここで、可動部材２３０の係合部２３０ｆ（具体的には、上壁部２３０ｈ、円弧形状部分２３０ｉ、側面部２３０ｇ）と、規制部材２４０の作用部２４０ｃとの作用の態様は第１実施形態と同様であり、詳細な動作説明を省略する。なお、可動部材２３０の側面部２３０ｇは、左右方向に垂直な（変位方向と略平行な）壁部であるため、規制部材２４０の作用部２４０ｃが一定の位置で可動部材２３０を押圧し続けることができる。そして、規制部材２４０を付勢する付勢手段（図示略）は、一定の付勢力を規制部材２４０に与え続けることになり、その形態を変形させることがなく負荷を受け難くなっている。また、可動部材２３０は、最終的に下方にスライド移動して図１３（Ｂ）に示すような変位位置に維持されることになる。
【００６０】
続いて、可動部材２３０が図１３（Ｂ）示すような変位位置に位置する状態から、伝達部材を介して駆動源（図示略）からの駆動力を受けて、図１３（Ａ）に示すような待機位置に位置する状態へとスライド移動して戻る。ここでも、可動部材２３０の係合部２３０ｆ（具体的には、上壁部２３０ｈ、円弧形状部分２３０ｉ、側面部２３０ｇ）と、規制部材２４０の作用部２４０ｃとの作用の態様は第１実施形態と同様であり、詳細な動作説明を省略する。また、可動演出装置の動作は、例えば、上述した動作（図１３（Ａ）に示す状態から図１３（Ｂ）に示す状態へ変化する動作、及び図１３（Ｂ）に示す状態から図１３（Ａ）に示す状態へ変化する動作）を繰り返すように構成されている。
【００６１】
[第３実施形態]
本発明に係る遊技機用可動演出装置及びそれを備えた遊技機１を具現化した第３実施形態について、図１４等を参照して説明する。上記第１実施形態では、可動部材３０に係合部３０ｆが形成され、係合部３０ｆが可動部材３０と同じ回動軸線Ｇ３回りに回動する構成を例示したが、本実施形態における「可動部材」は、可動部材３３０と連動部材３７０とによって構成されており、可動部材と連動する部材（連動部材３７０）に係合部が形成されている。以下、第１実施形態と同一の部分については詳細な説明は省略する。
【００６２】
（遊技機用可動演出装置の構成）
可動部材３３０は、駆動源（第１実施形態の駆動源２０と同様の構成であり、図示略）の駆動力を受けて変位（回動軸線Ｇ３回りに回動（図１４（Ａ）（Ｂ）参照））可能に構成され、自身に組み付けられる装飾部材６０を遊技領域内で変位させるように機能する。また、可動部材３３０は、図１４（Ａ）に示すような所定の待機位置と図１４（Ｂ）に示すような所定の変位位置との間で変位可能に構成される。なお、可動部材３３０には、基端部３３０ａの周縁部分近傍の所定位置（より詳しくは図１４（Ａ）に示すような状態で回動軸３３０ｃに対して左方向の端部の位置）には後方に凸状に突出する突出部３３０ｊが形成されており、後述する第４伝達部材３８０の挿通孔３８０ｂに挿通する構成となっている。
【００６３】
第４伝達部材３８０は、図１４（Ａ）（Ｂ）に示すように、長手状に形成されたリンク体であり、長手板状の本体部３８０ａを備え、当該本体部３８０ａの長手方向一方側（図１４（Ａ）に示す状態で下側）において前後方向に貫通した挿通孔３８０ｂと、当該本体部３８０ａの長手方向他方側（図１４（Ａ）に示す状態で上側）において前後方向に貫通した挿通孔３８０ｃと、が形成されている。そして、挿通孔３８０ｂに可動部材３３０の突出部３３０ｊが挿通することで可動部材３３０と連結し、第４伝達部材３８０が可動部材３３０と連動可能な構成となる。一方で、挿通孔３８０ｃに後述する連動部材３７０の突出部３７０ｃが挿通されることで連動部材３７０と連結し、連動部材３７０が第４伝達部材３８０と連動可能な構成となる。
【００６４】
連動部材３７０は、第１実施形態の台板部材５０（図９参照）と同様の構成の台板部材（図示略）の後方側において、可動部材３３０の回動軸線Ｇ３と平行な前後方向に沿った回動軸線Ｇ６（図１４（Ａ）（Ｂ）参照）回りに回動可能に保持されている。また、連動部材３７０は、可動部材３３０と連動可能に連係され、第４伝達部材３８０を介して可動部材３３０から駆動力が与えられ、図１４（Ａ）に示すような所定の待機位置と図１４（Ｂ）に示すような所定の変位位置との間で変位可能に構成されている。また、連動部材３７０は、可動部材３３０が待機位置にあるときに規制部材３４０によって保持され、可動部材３３０が待機位置から変位位置へ変位することを規制される構成となっている。
【００６５】
また、連動部材３７０は、図１４（Ａ）（Ｂ）に示すように全体として略円板形態をなし、前後方向を厚さ方向とする略円板状に形成される本体部３７０ａと、本体部３７０ａの中心部分に位置して前後方向に突出する棒形状の回動軸３７０ｂと、を備えている。なお、連動部材３７０は、例えば回動軸３７０ｂが第１実施形態と同様の構成の台板部材５０（図７等参照）に形成される凹窪部５０ｆ（図７等参照）と同様の構成の凹窪部（図示略）に挿通することで回動可能に保持される。また、本体部３７０ａの周縁部分近傍の所定位置（より詳しくは図１４（Ａ）に示すような状態で回動軸３７０ｂに対して左方向の端部の位置）には後方に凸状に突出する突出部３７０ｃが形成されており、第４伝達部材３８０の挿通孔３８０ｃに挿通する構成となっている。また、本体部３７０ａには、本体部３７０ａの周縁部分近傍の所定位置（より詳しくは図１４（Ａ）に示すような状態で回動軸３７０ｂに対して右方向の端部の位置）において回動軸３７０ｂ方向に凹む溝を構成する壁部となる係合部３７０ｆが形成されている。さらに、本体部３７０ａには、回動軸３７０ｂ（より詳しくは回動軸線Ｇ６）の軸方向から見て係合部３７０ｆと連続した外郭線を持つと共に、規制部材３４０が所定の接触状態を保持する形状の側面部３７０ｇが形成されている。具体的には、側面部３７０ｇは、回動軸３７０ｂ（より詳しくは回動軸線Ｇ６）から当該外郭線までの距離が一定となるように形成されている。即ち、図１４（Ａ）（Ｂ）に示すように、側面部３７０ｇが、回動軸３７０ｂ（より詳しくは回動軸線Ｇ６）からの距離が一定となる円弧状の周縁部として本体部３７０ａに形成されている。
【００６６】
また、係合部３７０ｆは、図１４（Ａ）に示すように、連動部材３７０（可動部材３３０）が待機位置に位置する時に、付勢手段（図示略）によって当該係合部３７０ｆに係合させる方向に付勢される規制部材３４０の作用部３４０ｃと係合する構成となっている。そして、係合部３７０ｆは、連動部材３７０（可動部材３３０）が待機位置にあるときに可動部材３３０の自重により当該係合部３７０ｆが向かおうとする下向きの移動方向とは反対の上方向に規制部材３４０の作用部３４０ｃから押圧力を受ける構成となっている。また、係合部３７０ｆを形作る溝は、前後方向から見て略三角形状に切欠かれる形態となっており、後述する規制部材３４０の作用部３４０ｃが入り込める程度の大きさの切欠き形状となっている。具体的には、図１４（Ａ）に示すような連動部材３７０（可動部材３３０）が待機位置に位置する状態で、本体部３７０ａの周縁部から回動軸３７０ｂに向かう方向に切欠かれる形状であって、更に下方部分は左側に高位置となるように傾斜する形状となっている。また、図１４（Ａ）に示すような連動部材３７０（可動部材３３０）が待機位置に位置する状態で、係合部３７０ｆを構成する上方の壁部は上下方向に面する上壁部３７０ｈとして構成され、当該上壁部３７０ｈは側面部３７０ｇと滑らかに接続され、図１４（Ａ）（Ｂ）に示すように、上壁部３７０ｈと側面部３７０ｇとの接続部分が円弧形状になっている。即ち、上壁部３７０ｈの一部（右端部）と側面部３７０ｇの一部（下端部）とによって円弧形状部分３７０ｉが形成されている。また、この係合部３７０ｆは、連動部材３７０が所定の待機位置から所定の変位位置に移動する移動開始時に所定の移動方向に移動する構成となっている。具体的には、連動部材３７０が回動軸線Ｇ６回りに回動する動作に伴って、係合部３７０ｆは連動部材３７０の回動方向と同じ方向に回動軸線Ｇ６回りに回動する構成となっている。そして、連動部材３７０（可動部材３３０）が待機位置にあるときに当該係合部３７０ｆが向かおうとする移動方向とは反対方向に作用部３４０ｃから押圧力を受ける構成である。
【００６７】
規制部材３４０は、図１４（Ａ）（Ｂ）に示すように、連動部材３７０が待機位置にあるときに係合部３７０ｆと対向する位置に設けられ、第１実施形態の規制部材４０と同様の形状となっており、例えば、第１実施形態の作用部４０ｃと同様の形状の作用部３４０ｃが形成されている。また、規制部材３４０は、第１実施形態の台板部材５０（図７等参照）と同様の構成される台板部材（図示略）に保持されて回動軸線Ｇ７回りに回動可能になっている。そして、規制部材３４０は、連動部材３７０が待機位置にあるときに作用部３４０ｃが当該連動部材３７０の係合部３７０ｆに係合し、連動部材３７０を待機位置に保持し、常態で変位位置へ変位することを規制するように機能する。また、規制部材３４０の回動軸線Ｇ７と、連動部材３７０の係合部３７０ｆと作用部３４０ｃとの係合位置とは、上下方向において略同一の高さに位置している。また、付勢手段（図示略）は、第１実施形態と同様に構成され、作用部３４０ｃは、連動部材３７０が待機位置に位置する時に、付勢手段（図示略）によって係合部３７０ｆに係合させる方向に付勢される構成となっている。そして、作用部３４０ｃは、連動部材３７０が待機位置にあるときに自重により係合部３７０ｆが向かおうとする移動方向（下方向）とは反対方向（上方向）に当該係合部３７０ｆを押圧するように機能する。また、規制部材３４０は、付勢手段（図示略）の付勢による作用部３４０ｃと係合部３７０ｆとの係合時に、連動部材３７０を変位位置から待機位置に向かう方向に付勢する付勢力を付勢手段（図示略）から付与されることになる。そして、規制部材３４０に対して第１実施形態の付勢手段４２と同様の構成で付勢手段（図示略）による付勢力が与えられることで、作用部３４０ｃが係合部３７０ｆを連動部材３７０の自重方向と反対方向に押圧する力が維持されることになる。また、規制部材３４０は、連動部材３７０が待機位置に位置するときに、図１４（Ａ）に示すような配置で、第１実施形態の台板部材５０に設けられるストッパー５０ｈと同様の構成のストッパー（図示略）と接触して停止している（図９参照）。
【００６８】
（可動演出装置の動作）
次に、可動演出装置の動作について説明する。
可動演出装置が演出を行っていない状態（常態）では、第１実施形態と同様に駆動源（図示略）が動作しない場合には可動部材３３０に駆動力が与えられることがないため、可動部材３３０は図１４（Ａ）に示すような待機位置に維持されることになる。また、可動部材３３０が回動しないため、可動部材３３０に連動する第４伝達部材３８０は、図１４（Ａ）に示すような位置に維持されることになる。また、第４伝達部材３８０が変位しないため、第４伝達部材３８０に連動する連動部材３７０は、図１４（Ａ）に示すような待機位置に維持されることになる。このとき、規制部材３４０は、付勢手段（図示略）の付勢により係合部３７０ｆに係合した状態にある。
【００６９】
なお、連動部材３７０の係合部３７０ｆと、規制部材３４０の作用部３４０ｃとの間の係合状態及び作用の態様は第１実施形態の構成と同様であるため、詳細な規制動作の説明を省略する。本実施形態では、可動部材３３０が自重等によって待機位置から変位位置方向（下方向）に変位しようとするとき、可動部材３３０に連動して連動部材３７０も待機位置から変位位置方向（下方向）に変位しようとする。そして、係合部３７０ｆの移動経路上に規制部材３４０（より詳しくは作用部３４０ｃ）が付勢手段（図示略）から付勢を受けた状態で位置しているため、係合部３７０ｆは移動方向とは反対方向（上方向）に作用部３４０ｃから押圧される状態となる。また、規制部材３４０に対して付勢手段（図示略）による付勢力が与えられることで、規制部材３４０の作用部３４０ｃが連動部材３７０の係合部３７０ｆを当該係合部３７０ｆが向かおうとする移動方向（下方向）とは反対方向（上方向）に押圧する力が維持されることになる。これによって、規制部材３４０が連動部材３７０を待機位置に安定して保持することで、それに連動する可動部材３３０を待機位置に安定して保持することができる。具体的には、連動部材３７０の動作が規制されることで、連動する第４伝達部材３８０の動作も規制されるため、第４伝達部材３８０と連結する可動部材３３０の突出部３３０ｊは第４伝達部材３８０によって変位が規制されることになる。そして、可動部材３３０は、突出部３３０ｊの回動が規制されることで、それに応じて回動が規制されることになる。
【００７０】
可動演出装置が演出を行う場合には、第１実施形態と同様に駆動源（図示略）が動作し、直接又は伝達部材等を介して可動部材３３０に駆動力が与えられることになり、可動部材３３０及び連動部材３７０は図１４（Ａ）に示すような待機位置から図１４（Ｂ）に示すような変位位置に回動を開始する。以下、連動部材３７０の係合部３７０ｆ（具体的には、上壁部３７０ｈ、円弧形状部分３７０ｉ、側面部３７０ｇ）と、規制部材３４０の作用部３４０ｃとの作用の態様は第１実施形態と同様であり、詳細な動作説明を省略する。可動部材３３０は、最終的に図１４（Ｂ）に示すような変位位置に維持されることになり、連動部材３７０は、可動部材３３０に連動して最終的に図１４（Ｂ）に示すような変位位置に維持されることになる。
【００７１】
続いて、可動部材３３０が図１４（Ｂ）示すような変位位置に位置する状態から、駆動源（図示略）からの駆動力を受けて、図１４（Ａ）に示すような待機位置に位置する状態へと戻る動作を行う。また、図１４（Ａ）に示すような連動部材３７０が待機位置に再び位置すると、上述したような規制動作を行う。これによって、連動部材３７０の変位位置への変位、及び可動部材３３０の変位位置への変位を規制する。なお、可動演出装置の動作は、例えば、上述した動作（図１４（Ａ）に示す状態から図１４（Ｂ）に示す状態へ変化する動作、及び図１４（Ｂ）に示す状態から図１４（Ａ）に示す状態へ変化する動作）を繰り返すように構成されている。
【００７２】
［他の実施形態]
本発明は上記記述及び図面によって説明した実施形態に限定されるものではなく、例えば次のような実施形態も本発明の技術的範囲に含まれる。
【００７３】
上記第１実施形態では、液晶表示部３の上方側において前後方向に液晶表示部３と一部が重なるようにして可動演出装置１０が配置される構成（即ち、遊技盤２の前面側において透明板（図示略）を介して視認可能に可動演出装置１０が配置される構成）を例示したが、可動演出装置１０は、遊技者が視認し得る前面枠９に設けられる構成でもよい。
【００７４】
また、上記第１実施形態では、可動部材３０に形成される係合部３０ｆが、回動軸３０ｃ方向に凹む溝を構成する壁部として形成される構成を例示したが、係合部３０ｆが凸状の突起部分として形成される構成でもよい。そして、この係合部３０ｆは、可動部材３０が待機位置に位置する時に、付勢手段４２によって当該係合部３０ｆに係合させる方向に付勢される作用部４０ｃと係合する構成とすることができる。なお、第２実施形態における可動部材２３０の係合部２３０ｆ、第３実施形態における連動部材３７０の係合部３７０ｆも同様の構成とすることができる。
【００７５】
また、上記第２実施形態では、可動部材２３０が上下方向に沿ってスライド移動する構成を例示したが、上下方向以外の方向（例えば斜め方向）に沿ってスライド移動する構成としてもよい。
【００７６】
また、上記第３実施形態では、規制部材３４０の回動軸線Ｇ７と、連動部材３７０の係合部３７０ｆと作用部３４０ｃとの係合位置とは、上下方向において略同一の高さに位置する構成を例示した。しかしながら、規制部材３４０と連動部材３７０との配置関係は、それ以外の構成であってもよい。例えば、規制部材３４０の回動軸線Ｇ７と、連動部材３７０の係合部３７０ｆと作用部３４０ｃとの係合位置とが、上下方向において重なる位置に位置する構成であってもよい。また、第３実施形態では、可動部材３３０側からの駆動により連動する連動部材３７０に係合部３７０ｆを形成するようにしたが、駆動源からの駆動力を可動部材に伝達する伝達部材を連動部材として、伝達部材に規制部材が係合する係合部を形成するようにしてもよい。
【符号の説明】
【００７７】
１…遊技機
１０…遊技機用可動演出装置
２０…駆動源
３０，２３０，３３０…可動部材
３０ｂ…アーム部
３０ｃ，３３０ｃ…回動軸
３０ｆ，２３０ｆ…係合部
３０ｇ，２３０ｇ…側面部
４０，２４０，３４０…規制部材
４０ｃ，２４０ｃ，３４０ｃ…作用部
４２…付勢手段
３７０…連動部材
３７０ｂ…回動軸
３７０ｆ…係合部
３７０ｇ…側面部
Ｇ３，Ｇ４，Ｇ５，Ｇ６，Ｇ７…回動軸線
【図１】
2015165862.tif 000003
【図２】
2015165862.tif 000004
【図３】
2015165862.tif 000005
【図４】
2015165862.tif 000006
【図５】
2015165862.tif 000007
【図６】
2015165862.tif 000008
【図７】
2015165862.tif 000009
【図８】
2015165862.tif 000010
【図９】
2015165862.tif 000011
【図１０】
2015165862.tif 000012
【図１１】
2015165862.tif 000013
【図１２】
2015165862.tif 000014
【図１３】
2015165862.tif 000015
【図１４】
2015165862.tif 000016